(57)【特許請求の範囲】
【請求項１】
グリル庫の前面の開口を通してグリル庫に出入れ自在なグリル皿内に焼網を載置するものにおいて、
グリル皿の少なくとも前後一方の端壁部に、焼網の周囲の網枠の当該端壁部に対向する端縁部の一部に当接して、焼網をグリル皿の前後の端壁部間に弾力的に挟み込む凸部を形成する、
ことを特徴とするグリル用焼網のガタ押え装置。
【請求項２】
前記凸部は、前記端縁部に連続して曲成した上下反対方向に湾曲する湾曲高さの異なる１対の脚部間の上下方向にのびる縦棒部に対向する位置に上下方向に長手に形成されることを特徴とする請求項１に記載のグリル用焼網のガタ押え装置。
【発明の詳細な説明】
【０００１】
【発明の属する技術分野】
本発明は、グリル用の焼網のガタツキを防止するガタ押え装置に関する。
【０００２】
【従来の技術】
グリルには、グリル庫の前面の開口を通してグリル庫に出入れ自在なグリル皿が設けられている。そして、上火のみを設ける片面焼きグリルでは、グリル皿内に焼網を載置している。
【０００３】
焼網は、一般に、棒材を方形に屈曲して形成した網枠の左右の側縁部間に複数本の桟棒を張り渡して構成されている。そして、網枠の前後の端縁部に、夫々、上下反対方向に湾曲する湾曲高さの異なる１対の脚部を連続して曲成し、焼網を上下反転することで焼網の高さを２段切替えできるようにしている。
【０００４】
【発明が解決しようとする課題】
焼網をグリル皿内に載置すると、製造公差の関係で焼網の周囲に多少とも隙間があく。そのため、グリル皿を出入れする際に焼網のガタツキによるガタ音が発生し、商品性が損われる不具合があった。
【０００５】
本発明は、以上の点に鑑み、焼網のガタツキを防止できるようにした装置を提供することを課題としている。
【０００６】
【課題を解決するための手段】
上記課題を解決すべく、本発明では、グリル庫の前面の開口を通してグリル庫に出入れ自在なグリル皿内に焼網を載置するものにおいて、グリル皿の少なくとも前後一方の端壁部に、焼網の周囲の網枠の当該端壁部に対向する端縁部の一部に当接して、焼網をグリル皿の前後の端壁部間に弾力的に挟み込む凸部を形成している。
【０００７】
これによれば、網枠の端縁部が凸部に押されて撓み、その撓み反力で焼網がグリル皿の前後の端壁部の間に弾力的に挟み込まれ、グリル皿の出入れに際しての焼網の前後のガタツキが防止される。
【０００８】
網枠の端縁部に、焼網の高さ切替えのために、上下反対方向に湾曲する湾曲さの異る１対の脚部を連続して形成する場合、両脚部間の上下方向にのびる縦棒部に対向する位置に前記凸部を上下方向に長手に形成しておけば、焼網と凸部との上下方向の接触長さが長くなり、凸部に対する摩擦により焼網の上下方向のガタツキも有効に防止される。
【０００９】
【発明の実施の形態】
図１はグリル付きのこんろを示しており、こんろの器体１内にグリル庫２が設けられている。グリル庫２の前面は開口３になっており、開口３を開閉するヒンジ式の前面扉４を設け、前面扉４を開いた状態で図外の把手部材等を用いてグリル皿５をグリル庫２に出入れできるようにしている。
【００１０】
図示のグリルは、グリル庫２の天井部に上火たる輻射式バーナ６を設けて、グリル皿５内に載置する焼網７上の被調理物を上方から焼成する、片面焼きグリルに構成されている。図中６ａは点火バーナである。
【００１１】
焼網７は、図２に示す如く、棒材を方形に折曲げて両端を突き合わせ溶接することにより形成した、左右両側の側縁部７０，７０と前後両端の端縁部７１，７１とを有する網枠７ａと、網枠７ａの両側縁部７０，７０間に張り渡した複数本の桟棒７ｂとで構成されている。また、網枠７ａの各端縁部７１に、図３（Ａ）に示す如く、上下反対方向に湾曲する１対の脚部７２，７３を左右対称に２組形成している。そして、横方向外側の脚部７２の湾曲高さＨ１を横方向内側の脚部７３の湾曲高さＨ２より大きくし、焼網７を横方向外側の脚部７２を下にして載置したときは焼網７の高さが比較的高くなり、横方向内側の脚部７３を下にして載置したときは焼網７の高さが比較的低くなるようにしている。また、各組の１対の脚部７２，７３は連続して曲成されており、両脚部７２，７３間には上下方向にのびる縦棒部７４が存在する。
【００１２】
グリル皿５は、方形の皿状にプレス成形して成るもので、グリル皿５の底壁部の前後両端の左右両側部に、図３（Ａ）（Ｂ）に示す如く、上方に凹入させて焼網７用の座面５０を形成し、該座面５０に前記脚部７２，７３を着座させ、脚部７２，７３がグリル皿５に入れる水に浸されないようにしている。
【００１３】
また、グリル皿５の前後の各端壁部５１には、網枠７ａの前後の各端縁部７１に形成した左右各組の１対の脚部７２，７３間の縦棒部７４に対向する位置に、内方に突出する凸部５２が形成されている。凸部５２は上下方向に長手であって、座面５０に達している。そして、凸部５２と座面５０とが成すコーナ部５３の曲率を網枠７ａを構成する棒材の半径程度に小さくし、グリル皿５に対する焼網７の横ずれで脚部７２，７３が凸部５２に接近しても、脚部７２，７３がコーナ部５３に乗り上がらないようにしている。
【００１４】
グリル皿５の前後の端壁部５１，５１に形成した凸部５２，５２間の距離は焼網７の前後長より若干短くなっている。例えば、焼網７の前後長を２６６．２ｍｍとして凸部５２，５２間の距離は２６３．６ｍｍに設定されている。そのため、グリル皿５内に焼網７を載置すると、各縦棒部７４に各凸部５２が圧接して、網枠７ａの前後の端縁部７１，７１が内方に撓み、その撓み反力で焼網７がグリル皿５の前後の端壁部間に弾力的に挟み込まれる。そのため、グリル皿５をグリル庫２に出入れすべく前後動させても焼網７のガタツキによるガタ音は発生しない。
【００１５】
ところで、凸部５２を網枠７ａの端縁部７１の中央の横棒部７５に当接するように形成することも可能であるが、本実施形態の如く縦棒部７４に当接するように凸部５２を上下方向に長手に形成しておけば、焼網７と凸部５２との上下方向の接触長さを長くして、凸部５２に対する摩擦により焼網７の上下方向のガタツキも有効に防止できる。
【００１６】
尚、上記実施形態では、グリル皿５の前後両端の端壁部５１に凸部５２を形成しているが、一方の端壁部５１だけに凸部５２を形成しても良い。
【００１７】
また、上記実施形態では、グリル庫２の前面扉４をヒンジ式に構成しているが、前面扉４を前後に開閉されるように構成し、前面扉４に直接または間接的にグリル皿５を連結して、前面扉４の開閉でグリル皿５をグリル庫２に出入れするようにしても良い。また、上記実施形態では、グリルの上火をバーナ６で構成したが、上火を電気ヒータで構成しても良い。
【００１８】
【発明の効果】
以上の説明から明らかなように、本発明によれば、グリル皿の出入れに際しての焼網のガタツキを防止でき、ガタ音を無くして商品性を向上できる。
【図面の簡単な説明】
【図１】  本発明の使用例を示すコンロの断面図
【図２】  図１のII−II線から見た平面図
【図３】  （Ａ）図２のIIIA−IIIA線截断面図、（Ｂ）図３（Ａ）のIIIB−IIIB線截断面図
【符号の説明】
２    グリル庫                    ３    前面開口
５    グリル皿                  ５１    端壁部
５２    凸部                        ７    焼網
７ａ  網枠                      ７１    端縁部
７２，７３  脚部                  ７４    縦棒部
【図１】
0003725304.tif 000002
【図２】
0003725304.tif 000003
【図３】
0003725304.tif 000004